(57)【要約】【課題】新設、既設を問わず、比較的狭い墓地でも容易に施工することが出来て、しかも換気効率に優れ、長期にわたって手数をかけることなく安定して運用することが出来る墓の納骨堂換気装置。【解決手段】墓の納骨堂換気装置は、死者の遺骨を収納する納骨堂６を有し、その納骨堂６の上を拝石３で閉じた墓についてて、給気ファン８により納骨堂６の中に外気を供給する給気ダクト７と、納骨堂６の下部から同納骨堂６の中の空気を排気する排気ダクト９と、太陽光発電により前記給気ファン８に電力を供給する太陽光発電パネル１０とを有し、前記給気ダクト７の給気口１１と排気ダクト９の排気口１２が拝石３または納骨堂６の前扉１７に設けられている。【選択図】図１
2009185478.tif 000002
【特許請求の範囲】
【請求項１】
死者の遺骨を収納する納骨堂（６）を有し、その納骨堂（６）の上を拝石（３）で閉じた墓において、給気ファン（８）により納骨堂（６）の中に外気を供給する給気ダクト（７）と、納骨堂（６）の下部から同納骨堂（６）の中の空気を排気する排気ダクト（９）と、太陽光発電により前記給気ファン（８）に電力を供給する太陽光発電パネル（１０）とを有し、前記給気ダクト（７）の給気口（１１）と排気ダクト（９）の排気口（１２）が拝石（３）または納骨堂（６）の前扉（１７）に設けられていることを特徴とする墓の納骨堂換気装置。
【請求項２】
給気ダクト（７）の給気口（１１）と排気ダクト（９）の排気口（１２）が拝石（３）の上に設けられた香炉（５）に設けられていることを特徴とする請求項１に記載の墓の納骨堂換気装置。
【請求項３】
給気ダクト（７）の給気口（１１）と排気ダクト（９）の排気口（１２）が拝石（３）の上面または前扉（１７）の前面に設けられていることを特徴とする請求項１に記載の墓の納骨堂換気装置。
【発明の詳細な説明】
【技術分野】
【０００１】
本発明は、墓のいわゆるカロートと呼ばれる死者の遺骨が収納された骨壺等を収める納骨堂の中の換気を行うための納骨堂換気装置に関し、特に既設、新設を問わずあらゆる墓に容易に施工が出来る墓の納骨堂換気装置に関する。
【背景技術】
【０００２】
墓において、死者の骨壺等を収める納骨堂は、通常は墓地の地下に設置される。この納骨堂は、高湿度となりやすく、そこに収めた骨壺等にカビ生じる他、長期間を経て骨壺に水が溜まることがある。さらに納骨堂内が高い湿度を好む不快虫類の棲息の場にもなり、不衛生な環境となる。そのため納骨堂の定期的な清掃が必要である。しかし、墓地が郊外に設けられるようになり、遺族の居宅と墓地とが遠くなり、遺族の墓への参拝の機会が少なくなるような現在の社会情勢の中で、頻繁な納骨堂の清掃は望むことは出来ない。
【０００３】
このようなことから、納骨堂の中に強制的に換気をし、納骨堂を常に新鮮な空気で満たすための試みが提案されている。これは例えば下記特許文献に記載されたもの等が挙げられる。このうち特開平９−４９３４７号公報では、太陽電池パネルにより、常時ファンモータを駆動しながら、納骨堂内を換気し、納骨堂を常に新鮮な外気で換気する構造のものである。
【０００４】
しかしながら、このような従来の墓の納骨堂の換気システムでは、納骨堂の換気のために大型の設備を要し、さらに施工が複雑であるため、大面積の墓を新たに施工する場合には兎も角、狭い墓地での施工や、既存の備置における施工には適していない。さらに構成が複雑であるため、運用に手数がかかる。
【０００５】
【特許文献１】特開平８−４２１９２号公報
【特許文献２】特開平９−４９３４７号公報
【特許文献３】特開２００３−２５３９１３号公報
【特許文献４】特開２００７−２８４９２９号公報
【発明の開示】
【発明が解決しようとする課題】
【０００６】
本発明は、前記従来の墓の納骨堂換気装置における課題に鑑み、新設、既設を問わず、比較的狭い墓地でも容易に施工することが出来て、しかも換気効率に優れ、長期にわたって手数をかけることなく安定して運用することが出来る墓の納骨堂換気装置を提供することを目的とする。
【課題を解決するための手段】
【０００７】
本発明では、前記の目的を達成するため、太陽光発電により駆動される給気ファン８から納骨堂６の上部に外気を供給する一方で、排気ダクト９を通して納骨堂６の下部から同納骨堂６内の空気を排気するようにし、これら給気ダクト７の給気口１１と排気ダクト９の排気口１２とを拝石３または納骨堂６の前扉１７に設けた。
【０００８】
すなわち、本発明による墓の納骨堂換気装置は、死者の遺骨を収納する納骨堂６を有し、その納骨堂６の上を拝石３で閉じた墓において、給気ファン８により納骨堂６の中に外気を供給する給気ダクト７と、納骨堂６の下部から同納骨堂６の中の空気を排気する排気ダクト９と、太陽光発電により前記給気ファン８に電力を供給する太陽光発電パネル１０とを有し、前記給気ダクト７の給気口１１と排気ダクト９の排気口１２が拝石３または納骨堂６の前扉１７に設けられているものである。
【０００９】
前記の給気ダクト７の給気口１１と排気ダクト９の排気口１２は、例えば拝石３の上に設けられた香炉５に設けられている。或いは、給気ダクト７の給気口１１と排気ダクト９の排気口１２が拝石３の上面に設けられている。また、納骨堂６の前面を開閉出来る、いわゆる陸カロートの墓にあっては、給気ダクト７の給気口１１と排気ダクト９の排気口１２を納骨堂６の前扉１７の前面に設けることも出来る。
【００１０】
このような本発明による墓の納骨堂換気装置では、給気ダクト７の給気口１１と排気ダクト９の排気口１２が拝石３または納骨堂６の前扉１７に設けられているため、新設する墓地はもちろん、既存の墓地にも、墓地地面１５を掘り下げることなく、簡単に設置することが出来る。特に、給気ダクト７の給気口１１と排気ダクト９の排気口１２を拝石３に設ける場合は、香炉５を利用して目立たないようにして設置出来ると共に、雨水の浸入等も容易に防止出来る。
【発明の効果】
【００１１】
以上説明した通り、本発明による墓の納骨堂換気装置では、墓の規模が比較的小さいものでも新設墓地と既設墓地を問わずに簡単に設置することが出来る。また、給気ダクト７の給気口１１と排気ダクト９の排気口１２を拝石３に設ける場合は、香炉５の利用により目立たないよう設置出来ると共に、雨水の浸入等も容易に防止出来る。
【発明を実施するための最良の形態】
【００１２】
本発明では、太陽光発電により駆動される給気ダクト７を通して給気ファン８から納骨堂６の中に外気を供給する一方で、排気ダクト９を通して納骨堂６の下部から同納骨堂６内の空気を排気するようにし、これら給気ダクト７の給気口１１と排気ダクト９の排気口１２とを拝石３または納骨堂６の前扉１７に設けることにより、前記の目的を達成するものである。
以下、本発明を実施するための最良の形態について、実施例をあげて詳細に説明する。  
【００１３】
図１は、本発明による納骨堂換気装置を備えた墓を、その納骨堂換気装置の部分で断面した縦断正面図であり、図２は、その拝石３の部分の拡大断面図である。
一般の墓地は、外柵で囲まれており、その中に墓誌や観音像、灯籠等の墓の付帯物が設置される。これらは図１においては図示していない。
【００１４】
このような墓地の中心は図１に示す通り、墓石１とそれの基礎をなす芝石２からなる。芝石２の前面には、水鉢や花立４が設けられる。この芝石２の前にいわゆるカロートと呼ばれる納骨堂６が設けられ、その上が拝石３と呼ばれる蓋石で閉じられている。拝石３の上には、線香を置くための香炉５が設けられることが多い。
【００１５】
納骨堂６は一般的には図１に示す通り、墓地地面１５の下に設けられ、拝石１に塞がれた上面のみで開閉することが出来る。但し、納骨堂６を正面からも開閉出来るようにした、いわゆる陸カロートと呼ばれる形式の墓もある。この陸カロート形式の墓については後述する。先ずは一般的な拝石の部分で納骨堂６の上面のみを開閉する形式の墓に適用した納骨堂換気装置について説明する。
【００１６】
図１と図２に示す通り、納骨堂６の中に外気を供給する給気ダクト７と納骨堂６の中から空気を外に排気する排気ダクト９とが設けられている。給気ダクト７には、納骨堂６の中に外気を強制的に供給するためのファン８が設けられており、このファン８は、例えば香炉５の屋根の部分に設けたソーラセル或いはソーラパネル等と呼ばれる太陽光発電パネル１０から電力の供給を受けて駆動される。
【００１７】
給気ダクト７の上端である給気口１１は、拝石３を貫通して香炉５の内部底面に開口している。この給気ダクト７の下端は、納骨堂６の中間の高さの位置に開口している。また、排気ダクト排気口１２の下端は、納骨堂６の底面近くの下部位置に開口している。この排気ダクトの上端である排気口１２は、拝石３を貫通し、さらに香炉５の側壁を通って、同側壁から香炉５の外面に向けて開口している。
【００１８】
前記ファン８の駆動により、給気ダクト７から納骨堂６の中に給気口１１を通して外気を強制供給することにより、納骨堂６の中の空気が押し出され、この空気が排気ダクト９を通って外部に排気される。このとき、排気ダクト排気口１２の下端は、納骨堂６の底面近くの下部位置に開口しているため、納骨堂６の中で最も湿気が溜まりやすい底面近くの空気が外部に排気される。よって納骨堂６の中の湿度を低く保つことが出来る。
【００１９】
図３は、本発明による納骨堂換気装置の他の例を示すもので、墓を納骨堂換気装置の部分で断面した縦断正面図である。図４は、その平面図であり、図５はその拝石３の部分の拡大断面図である。
この実施例による墓の納骨堂換気装置では、給気ダクト７の給気口１１と排気ダクト９の排気口１２を香炉５に開口せずに、香炉５の両側の拝石３の上にそれぞれ設けている。またこの実施例では、給気ダクト７にファン８を設けるだけでなく、排気ダクト９にもファン１６を設けている。
【００２０】
これらの給気ダクト７の給気口１１と排気ダクト９の排気口１２の上には、笠状の雨避け１３、１４が設けられている。図５に示すように、この実施例では給気ダクト７のファン８を駆動するための太陽光発電パネル１０を、この雨避け１３、１４の上に設けている。もちろん図１と図２により前述した実施例と同様に、香炉５の屋根の部分に太陽光発電パネル１０を設けても良い。
これらの点以外は、基本的には図１と図２により前述した実施例と同様であり、同じ部分の説明は省略する。
【００２１】
図６と図７は、本発明による納骨堂換気装置の他の例を示すもので、墓を納骨堂換気装置の部分で断面した縦断正面図である。これらの墓は、いわゆる陸カロートと呼ばれる形式のものである。手前の墓地地面１５’に対して奥側の墓地地面１５を十分高くし、その間の高低差を大きくとっている。墓石１、拝石３及び納骨堂６を奥側の墓地地面１５に設け、納骨堂６の正面を扉で開けることが出来るようにしている。これにより、遺骨を納骨堂６の正面から出し入れすることが出来る。図１や図３に示した、いわゆる地下カロート形式のように、拝石３をずらすことにより納骨堂６を上面からのみ開けることが出来るものと比べて遺骨の出し入れがしやすい。
【００２２】
これらの実施例のうち、図６の実施例は、いわゆる陸カロート形式である点を除けば、基本的には図１と図２により前述した実施例と同様である。すなわち、給気ダクト７の上端である給気口１１は、拝石３を貫通して香炉５の内部底面に開口し、また排気ダクトの上端である排気口１２は、拝石３を貫通し、さらに香炉５の側壁を通って、同側壁から香炉５の外面に向けて開口している。その他の図１と図２により前述した実施例と共通する部分の説明は省略する。
【００２３】
図７の実施例は、いわゆる陸カロート形式である点を除けば、基本的には図３〜図５により前述した実施例と同様である。すなわち、給気ダクト７の給気口１１と排気ダクト９の排気口１２とを香炉５の両側の拝石３の上にそれぞれ開口している。また、こられの給気ダクト７の給気口１１と排気ダクト９の排気口１２の上には、笠状の雨避け１３、１４が設けられている。その他の図３〜図５により前述した実施例と共通する部分の説明は省略する。
【００２４】
図８と図９は、本発明による納骨堂換気装置のさらに他の例を示すもので、墓を納骨堂換気装置の給気ダクト７と排気ダクト９の部分でそれぞれ断面した縦断側面図である。こらの図に示した実施例では、給気ダクト７と排気ダクト９を納骨堂６の前面の前扉１７に貫通して設け、それらの給気口１１と排気口１２を納骨堂６の前扉１７の正面にそれぞれ開口している。また、こられの給気ダクト７の給気口１１と排気ダクト９の排気口１２の上には、フード状の雨避け１３、１４が設けられている。その他は、図３〜図５により前述した実施例と基本的に同じであり、共通する部分の説明は省略する。
【産業上の利用可能性】
【００２５】
本発明によれば、納骨堂６の中の湿気を排気し、納骨堂６の中を清浄な雰囲気に保つことが出来る墓の納骨堂換気装置を納骨堂６の配置の如何を問わず、また既設或いは新設の墓を問わず簡単に施工できるので、広汎な墓に適用が可能である。
【図面の簡単な説明】
【００２６】
【図１】本発明による墓の納骨堂換気装置の一実施例を納骨堂換気装置の部分で断面して示した縦断正面図である。
【図２】図１の墓の納骨堂換気装置の拝石の部分の拡大断面図である。
【図３】本発明による墓の納骨堂換気装置の他の実施例を示すもので、墓を納骨堂換気装置の部分で断面した縦断正面図である。
【図４】図３の墓の納骨堂換気装置の平面図である。
【図５】図３の墓の納骨堂換気装置の拝石の部分の拡大断面図である。
【図６】本発明による墓の納骨堂換気装置の他の例として、いわゆる陸カロート形式の墓に適用した墓を納骨堂換気装置の部分で断面した縦断正面図である。
【図７】本発明による墓の納骨堂換気装置の他の例として、いわゆる陸カロート形式の墓に適用した他の例の墓を納骨堂換気装置の部分で断面した縦断正面図である。
【図８】本発明による墓の納骨堂換気装置の他の例として、いわゆる陸カロート形式の墓に適用した他の例の墓を納骨堂換気装置の給気ダクトの部分で断面した縦断側面図である。
【図９】本発明による墓の納骨堂換気装置の他の例として、いわゆる陸カロート形式の墓に適用した他の例の墓を納骨堂換気装置の排気気ダクトの部分で断面した縦断側面図である。
【符号の説明】
【００２７】
３    拝石
５    香炉
６    納骨堂
７    給気ダクト
８    給気ファン
９    排気ダクト
１０  太陽光発電パネル
１１  給気ダクトの給気口
１２  排気ダクトの排気口
１７  納骨堂の前扉
【図１】
2009185478.tif 000003
【図２】
2009185478.tif 000004
【図３】
2009185478.tif 000005
【図４】
2009185478.tif 000006
【図５】
2009185478.tif 000007
【図６】
2009185478.tif 000008
【図７】
2009185478.tif 000009
【図８】
2009185478.tif 000010
【図９】
2009185478.tif 000011